(57)【要約】【課題】本発明の課題は、採光しながら視線を確実に遮ることができるとともに、組み立てや交換に係る作業性を向上でき、しかも、湿度による変形を防ぐことが可能な建具および建具の設置構造を提供することを目的とする。【解決手段】開口部３を有する建具本体２と、この建具本体２の両面もしくは片面の全面に貼設されたシート材４とを備えており、このシート材４は透光性および不透視性を有していることを特徴とする建具１。これにより、開口部は、透光性および不透視性を有するシート材によって被覆されることになり、建具本体の一面側から他面側へと照射される光を開口部を透過させて採光しながら視線を遮ることができる。また、シート材の貼設だけで済むので、組立作業や交換が容易である。さらに、開口部を介して空気が流通して建具本体に生じる湿気の外部への放散を促進できる。【選択図】図１
2008144477.tif 000002
【特許請求の範囲】
【請求項１】
開口部を有する建具本体と、この建具本体の両面もしくは片面の全面に貼設されたシート材とを備えており、このシート材は透光性および不透視性を有していることを特徴とする建具。
【請求項２】
請求項１に記載の建具において、
前記シート材は、透湿性を有していることを特徴とする建具。
【請求項３】
請求項１または２に記載の建具において、
前記開口部は、前記建具本体に対して、少なくとも１つ以上設けられていることを特徴とする建具。
【請求項４】
請求項１〜３のいずれか一項に記載の建具において、
前記建具本体およびシート材の周囲端面には、これら建具本体およびシート材の周囲端面を化粧する端面化粧材が貼設されており、この端面化粧材の両端と前記シート材の表面とが面一となっていることを特徴とする建具。
【請求項５】
請求項１〜４のいずれか一項に記載の建具を設置してなる建具の設置構造であって、
前記建具は、この建具に対して光を照射する光源部に近接して設置されていることを特徴とする建具の設置構造。
【発明の詳細な説明】
【技術分野】
【０００１】
本発明は、開口を開閉する戸・扉等の建具および建具の設置構造に関する。
【背景技術】
【０００２】
従来、開口を開閉する戸・扉等の建具に対して、ガラス等の透光部材を用いて窓を設けることは公知である（例えば、特許文献１参照）。
特許文献１に記載の採光ドアは、採光用開口部の内周面に沿って設けた芯材と、この芯材の両面に設けられ採光ドアの外形と略等しい大きさの表面材ならびに裏面材とを備えており、表面材および裏面材の各縁部の対向面に、透光部材の厚みと略等しい嵌合溝を形成する切欠を設けて、この嵌合溝に透光部材の外周縁を嵌合した構成を有する。
【特許文献１】実用新案登録第２５２６５５２号公報
【発明の開示】
【発明が解決しようとする課題】
【０００３】
ところで、特許文献１の採光ドアは、表面材および裏面材の縁部の対向面に透光部材の厚みと略等しい厚みの嵌合溝を形成する切欠を設け、この切欠によって縁部の内周面に嵌合溝を設け、透光部材の外周縁を嵌合溝に嵌合させる構成であるため、例えば切欠の寸法精度を高めたり等のように構造が複雑となり、組立作業に手間がかかる場合がある。その上、透光部材の交換作業を行う際も、表面材および裏面材を接着剤で固定しているので、表面材および裏面材を剥がしてから、新しい表面材および裏面材を使用して交換しなければならず、手間である。
【０００４】
また、ガラス板を透光部材として用いているので、このガラス板が透明であった場合、全く視線を遮ることができない。このため、例えばカーテンやスクリーン等による目隠しを設けるための手間やコストが更にかかる。
【０００５】
しかも、ただ単に採光ドアの材料に形成された採光用開口部にガラス板を嵌め込んだだけの構成であり、湿度に対する方策がとられていないため、ドアの材料が木材であった場合に、湿度に起因する木材の伸縮や反り等の変形を防ぐことが困難となる場合があった。
【０００６】
本発明の課題は、採光しながら視線を確実に遮ることができるとともに、組み立てや交換に係る作業性を向上でき、しかも、湿度による変形を防ぐことが可能な建具および建具の設置構造を提供することを目的とする。
【課題を解決するための手段】
【０００７】
請求項１に記載の発明は、建具１であり、例えば図１〜図４に示すように、開口部３を有する建具本体２と、この建具本体２の両面もしくは片面の全面に貼設されたシート材４とを備えており、このシート材４は透光性および不透視性を有していることを特徴とする。
【０００８】
請求項１に記載の発明によれば、開口部３を有する建具本体２と、この建具本体２の両面もしくは片面の全面に貼設されたシート材４とを備えており、このシート材４は透光性および不透視性を有しているので、前記開口部３は、透光性および不透視性を有するシート材４によって被覆されることになる。
これによって、前記建具本体２の一面側から他面側へと光が照射された際に、この光を、前記シート材４で被覆された開口部３を透過させることができるので、前記建具本体２の他面側に採光することが可能となる。この時、例えば、前記建具本体２の一面側に、前記開口部３の一部に重複するようにして障害物があった場合は、この障害物の周囲からは光が透過するので、前記建具本体２の他面側からは障害物の部分だけが影となって見えるようになる。また、前記シート材４は不透視性を有しているので、例えば、このシート材４で被覆された開口部３を前記建具本体２の一面側または他面側から見た際に、開口部３を通して建具本体２の一面側または他面側を透視することができないため、視線を確実に遮ることが可能となる。
【０００９】
さらに、前記建具１は、前記建具本体２の両面もしくは片面の全面に前記シート材４を貼設するだけで形成することができるので、従来に比して、前記建具１の組み立て作業やシート材４の交換作業が容易となり、作業性の向上を図ることができる。
【００１０】
なお、前記シート材４の不透視性とは、このシート材４が存在すると、シート材４を介して反対側に存在するものが視認することができない反面、光が照射されたときに障害物の影が見える程度のことをいう。
【００１１】
請求項２に記載の発明は、例えば図１〜図４に示すように、請求項１に記載の建具１において、
前記シート材４は、透湿性を有していることを特徴とする。
【００１２】
請求項２に記載の発明によれば、前記シート材４は、透湿性を有しているので、建具本体２に生じる湿気の外部への放散を促進することができる。特に、前記建具本体２には開口部３が形成されているので、この開口部３を介して建具本体２の一面側と他面側との間で空気が流通することとなり、建具本体２に生じる湿気の外部への放散をより促進することができる。これによって、従来に比して、湿度による建具本体２の伸縮や反り等の変形を確実に防ぐことができる。
【００１３】
請求項３に記載の発明は、例えば図１および図２に示すように、請求項１または２に記載の建具１において、
前記開口部３は、前記建具本体２に対して、少なくとも１つ以上設けられていることを特徴とする。
【００１４】
請求項３に記載の発明によれば、前記開口部３は、前記建具本体２に対して、少なくとも１つ以上設けられているので、前記開口部３を前記建具本体２に対して複数設けた場合は、開口部３を１つ設けた場合に比して、前記建具本体２の一面側から他面側にかけて透過する光の量を増大させて採光性を向上できるとともに、湿気の放散量を増大させて湿度による建具本体２の伸縮や反り等の変形をより確実に防ぐことができる。
【００１５】
請求項４に記載の発明は、例えば図３に示すように、請求項１〜３のいずれか一項に記載の建具１において、
前記建具本体２およびシート材４の周囲端面には、これら建具本体２およびシート材４の周囲端面を化粧する端面化粧材５が貼設されており、この端面化粧材５の両端と前記シート材４の表面とが面一となっていることを特徴とする。
【００１６】
請求項４に記載の発明によれば、前記建具本体２およびシート材４の周囲端面には、これら建具本体２およびシート材４の周囲端面を化粧する端面化粧材５が貼設されており、この端面化粧材５の両端と前記シート材４の表面とが面一となっているので、前記建具１の表面に出っ張りのないフラットな面を形成することができる。また、前記シート材４のサイズを、前記建具本体２の表面に合わせるようにして建具本体２の両面もしくは片面の全面に貼設することによって設定することができるので、前記建具１の周囲端面に貼設された端面化粧材５の内側に正確に収めることができる。これによって、前記建具１は外観上秀麗な仕上がりとなる。
【００１７】
また、このように表面がフラットに形成された建具１は、開き戸の形態だけに採用されるものでなく、引き戸や揚げ戸等の他の形態の建具１として使用しても開閉動作を円滑に行うことが可能となる。
【００１８】
請求項５に記載の発明は、例えば図４に示すように、請求項１〜４のいずれか一項に記載の建具１を設置してなる建具１の設置構造であって、
前記建具１は、この建具１に対して光を照射する光源部６に近接して設置されていることを特徴とする。
【００１９】
請求項５に記載の発明によれば、前記建具１は、この建具１に対して光を照射する光源部６に近接して設置されているので、前記建具本体２の一面側から他面側にかけて透過する光の量をより増大できるとともに、光を確実に透過させることができるので、採光性をより向上することができる。
【発明の効果】
【００２０】
本発明によれば、開口部を有する建具本体と、この建具本体の両面もしくは片面の全面に貼設されたシート材とを備えており、このシート材は透光性および不透視性を有しているので、開口部は、透光性および不透視性を有するシート材によって被覆されることになる。これによって、建具本体の一面側から他面側へと光が照射された際に、この光を、シート材で被覆された開口部を透過させることができるので、建具本体の他面側に採光することが可能となる。この時、例えば、建具本体の一面側に、開口部の一部に重複するようにして障害物があった場合は、この障害物の周囲からは光が透過するので、建具本体の他面側からは障害物の部分だけが影となって見えるようになる。また、シート材は不透視性を有しているので、例えば、このシート材で被覆された開口部を建具本体の一面側または他面側から見た際に、開口部を通して建具本体の一面側または他面側を透視することができないため、視線を確実に遮ることが可能となる。
さらに、前記建具は、建具本体の両面もしくは片面の全面に前記シート材を貼設するだけで形成することができるので、従来に比して、組み立て作業やシート材の交換作業が容易となり、作業性の向上を図ることができる。
その上、前記シート材は、透湿性を有しているので、建具本体に生じる湿気の外部への放散を促進することができる。特に、建具本体には開口部が形成されているので、この開口部を介して建具本体の一面側と他面側との間で空気が流通することとなり、建具本体に生じる湿気の外部への放散をより促進することができる。これによって、従来に比して、湿度による建具本体の伸縮や反り等の変形を確実に防ぐことができる。
【発明を実施するための最良の形態】
【００２１】
以下、図面を参照して本発明の実施の形態について説明する。
【００２２】
本実施の形態の建具１は、図１〜図４に示すように、開口部３を有する建具本体２と、この建具本体２の両面もしくは片面の全面に貼設されたシート材４とを備えており、このシート材４は透光性および不透視性を有している。
【００２３】
なお、本実施の形態のシート材４は、前記建具本体２の両面の全面に貼設されているものとする。ただし、これに限られことはなく、前記建具本体２の片面の全面に貼設するようにしても良い。
また、前記建具本体２の側端部近傍には、所定高さに把手２ａが設けられている。なお、この把手２ａの替わりに、建具本体２に向かって凹んで手指を引っ掛ける引手（図示せず）を設けるようにしても良い。
【００２４】
ここで、前記建具本体２は、建具本体２の上部に位置する上桟（図示せず）の両端部と、建具本体２の下部に位置する下桟（図示せず）の両端部との間に、それぞれ縦桟（図示せず）を立設することによって枠状に形成されており、これら上桟および下桟、縦桟に囲まれるようにして開口部３が形成されている。
そして、この開口部３は、建具本体２が枠状に形成されることによって、建具本体２の一面側から他面側に貫通した状態となっている。
【００２５】
前記シート材４は、上述のように透光性および不透視性を有している。なお、不透視性とは、シート材４が存在すると、シート材４を介して反対側に存在するものが視認することができない反面、光が照射されたときに障害物の影が見える程度のことをいう。
なお、本実施の形態のシート材４としては、種々の紙や布、不織布、クロス、オレフィンシート等、様々なものが挙げられる。そして、この中でも透湿性を有するものを使用するものとする。
【００２６】
そして、前記建具本体２の開口部３は、以上のようなシート材４によって、建具本体２の両面側から被覆された状態となっている。これによって、前記建具本体２の一面側から他面側へと光が照射された際に、この光を、前記シート材４で被覆された開口部３を透過させることができるので、前記建具本体２の他面側に採光することが可能となっている。
【００２７】
また、前記シート材４は不透視性を有しているので、例えば、このシート材４で被覆された開口部３を前記建具本体２の一面側または他面側から見た際に、開口部３を通して建具本体２の一面側または他面側を透視することができないため、視線を確実に遮ることが可能となっている。このため、プライバシーの確保が容易である。
【００２８】
また、前記シート材４は、透湿性を有しているので、建具本体２に生じる湿気の外部への放散を促進することができる。
特に、前記建具本体２には開口部３が形成されているので、この開口部３を介して建具本体２の一面側と他面側との間で空気が流通することとなり、建具本体２に生じる湿気の外部への放散をより促進することができる。これによって、従来に比して、湿度による建具本体２の伸縮や反り等の変形を確実に防ぐことができる。
【００２９】
さらに、前記建具１は、前記建具本体２の両面の全面に前記シート材４を貼設するだけで形成することができるので、従来に比して、前記建具１の組み立て作業やシート材４の交換作業が容易となり、作業性の向上を図ることができるようになっている。
すなわち、本実施の形態のシート材４は、合板等の重量な化粧板材を、接着剤や釘等を用いて建具本体２の表面に接合固定するような場合とは異なり、持ち運びや貼設作業、交換作業が格段にしやすいのは言うまでもない。
【００３０】
なお、前記シート材４の不透視性は、上述のように光が照射されたときに障害物の影が見える程度のものであるため、前記建具本体２の一面側に、前記開口部３の一部に重複するようにして障害物があった場合は、この障害物の周囲からは光が透過するので、前記建具本体２の他面側からは障害物の部分だけが影となって見えるようになる。
【００３１】
また、このような障害物の部分だけが影となる作用を利用する形態としては、例えば、動物等の透かし彫りがなされた板（図示せず）を前記開口部３に嵌め込んでおくようにしても良い。すなわち、このような透かし彫りの板が組み込まれた建具１を子供部屋などに設置することによって、就寝時に部屋を暗くしても、建具１を介した部屋の反対側から開口部３に向かって光を照射することで、動物の姿を浮かび上がらせることができるので、リラックス感のある睡眠環境を形成することが可能となる。なお、このような形態を就寝時に採用する際は、照射する光を比較的弱くするとともに暖色にする等、より良い睡眠環境の向上を図ることが望ましい。
その他にも、図示はしないが、シート材４自体に透かしを入れてみたり、シート材４のデザインを考慮して建具１を形成することによって、意匠性の向上を図ることが可能となる。
【００３２】
一方、前記開口部３は、図１および図２に示すように、少なくとも１つ以上設けられている。すなわち、前記開口部３を前記建具本体２に対して複数設けた場合は、開口部３を１つ設けた場合に比して、前記建具本体２の一面側から他面側にかけて透過する光の量を増大させて採光性を向上できるとともに、湿気の放散量を増大させて湿度による建具本体２の伸縮や反り等の変形をより確実に防ぐことができるようになっている。
【００３３】
なお、図２に示すような複数の開口部３，３…を有する建具１を形成する場合は、建具本体２の上部に位置する上桟（図示せず）の両端部と、建具本体２の下部に位置する下桟（図示せず）の両端部との間に、それぞれ縦桟（図示せず）を立設するとともに、これら縦桟間に、少なくとも１本以上の補助縦桟（図示せず）を立設することによって形成されている。
【００３４】
なお、このように複数の開口部３，３…を有するように建具１を形成しておくと、例えば、地震時に建物の躯体が歪んで建具１が開閉できない場合において、前記複数の開口部３，３…を被覆するシート材４を切り開くとともに、補助縦桟を取り外すことによって、逃走経路を確保することが可能となる。
また、開口部３が１つの場合においても、開口部３の大きさを大きくしておけば、この開口部３を被覆するシート材４を切り開くだけで、逃走経路を確保できるようになっている。
【００３５】
そして、前記建具本体２およびシート材４の周囲端面には、図３に示すように、これら建具本体２およびシート材４の周囲端面を化粧する端面化粧材５が貼設されており、この端面化粧材５の両端と前記シート材４の表面とが面一となっている。
【００３６】
これによれば、前記建具本体２およびシート材４の周囲端面には、これら建具本体２およびシート材４の周囲端面を化粧する端面化粧材５が貼設されており、この端面化粧材５の両端と前記シート材４の表面とが面一となっているので、前記建具１の表面に出っ張りのないフラットな面を形成することができる。
また、前記シート材４のサイズを、前記建具本体２の表面に合わせるようにして建具本体２の両面もしくは片面の全面に貼設することによって設定することができるので、前記建具１の周囲端面に貼設された端面化粧材５の内側に正確に収めることができる。これによって、前記建具１は外観上秀麗な仕上がりとなる。
【００３７】
なお、このようにシート材４のサイズは、このシート材４を、前記建具本体２の表面サイズに合わせるだけで済むので、シート材４の貼設を含む建具１全体の組み立て作業や、シート材４の交換作業が容易となり、作業性をより向上させることが可能となる。
また、前記シート材４は、予め建具本体２のサイズと同様のサイズに裁断しておいても良く、建具本体２に貼設してからシート材４を裁断するようにしても良い。
【００３８】
また、このように表面がフラットに形成された建具１は、開き戸の形態だけに採用されるものでなく、引き戸や揚げ戸等の他の形態の建具１として使用しても開閉動作を円滑に行うことが可能となる。
なお、このような建具１を、例えば引き戸や引違い戸に採用する際は、図１および図２に示すような把手２ａの替わりに、前記引手を設けるようにする。
【００３９】
なお、前記シート材４の透光性および不透視性、さらに透湿性については、各性能のバランスを適宜変更しても良い。すなわち、透光性を優先したい場合は、不透視性の性能を抑制したり、透湿性を優先したい場合は、透光性および不透視性の性能をそれぞれ抑制したり等の調節をしても良い。
【００４０】
次に、図面を参照して以上のような建具１の設置構造について説明する。
【００４１】
前記建具１は、図４に示すように、この建具１に対して光を照射する光源部６に近接して設置されている。
なお、前記建具１は、所定の部屋７の出入用の開口を開閉するために設けられたものであるとともに、廊下８に面した状態となっている。
【００４２】
ここで、前記光源部６は、図４に示すように、太陽光を取り込むための窓９であり、前記廊下８に面しているとともに前記建具１に対向して設けられている。
すなわち、前記建具１に対向して太陽光を取り込むための窓９が設けられていることから、例えば、この窓９が朝日を取り込むものであった場合に、前記シート材４が貼設された開口部３を通して部屋７に採光する朝日を段階的に増大させることができるので、自然光によって穏やかに目覚めることが可能となっている。
また、朝に限らず窓９を開放することによって、この窓９から容易に外気を取り入れることができるので、取り入れた外気を、建具本体２の一面側から他面側にかけて前記開口部３を介して流通させることができる。これによって、建具本体２に生じる湿気の外部への放散をより一層促進することができるので、従来に比して、湿度による建具本体２の伸縮や反り等の変形をより確実に防ぐことができる。
【００４３】
なお、本実施の形態の光源部６を、太陽光を取り込むための窓９としたがこれに限られるものではなく、適宜変更可能である。例えば、図示はしないが、電球等による光線を光源部６としても良く、廊下８の天井に設けた蛍光灯によって、廊下８自体を明るくして光源部６とするのも良い。すなわち、建具１に対して光を照射することを含む本発明の趣旨を逸脱しない範囲で適宜変更可能である。
【００４４】
そして、このような建具１の設置構造によれば、前記建具１は、この建具１に対して光を照射する光源部６に近接して設置されているので、前記建具本体２の一面側から他面側にかけて透過する光の量をより増大できるとともに、光を確実に透過させることができるので、採光性をより向上することができる。
【００４５】
本実施の形態によれば、開口部３を有する建具本体２と、この建具本体２の両面もしくは片面の全面に貼設されたシート材４とを備えており、このシート材４は透光性および不透視性を有しているので、前記開口部３は、透光性および不透視性を有するシート材４によって被覆されることになる。
これによって、前記建具本体２の一面側から他面側へと光が照射された際に、この光を、前記シート材４で被覆された開口部３を透過させることができるので、前記建具本体２の他面側に採光することが可能となる。この時、例えば、前記建具本体２の一面側に、前記開口部３の一部に重複するようにして障害物があった場合は、この障害物の周囲からは光が透過するので、前記建具本体２の他面側からは障害物の部分だけが影となって見えるようになる。また、前記シート材４は不透視性を有しているので、例えば、このシート材４で被覆された開口部３を前記建具本体２の一面側または他面側から見た際に、開口部３を通して建具本体２の一面側または他面側を透視することができないため、視線を確実に遮ることが可能となる。
さらに、前記建具１は、前記建具本体２の両面もしくは片面の全面に前記シート材４を貼設するだけで形成することができるので、従来に比して、前記建具１の組み立て作業やシート材４の交換作業が容易となり、作業性の向上を図ることができる。
その上、前記シート材４は、透湿性を有しているので、建具本体２に生じる湿気の外部への放散を促進することができる。特に、前記建具本体２には開口部３が形成されているので、この開口部３を介して建具本体２の一面側と他面側との間で空気が流通することとなり、建具本体２に生じる湿気の外部への放散をより促進することができる。これによって、従来に比して、湿度による建具本体２の伸縮や反り等の変形を確実に防ぐことができる。
【図面の簡単な説明】
【００４６】
【図１】本発明の建具の一例を示す正面図である。
【図２】本発明の建具の一例を示す正面図である。
【図３】建具の端面近傍を示す断面図である。
【図４】本発明の建具の設置構造の一例を示す斜視図である。
【符号の説明】
【００４７】
１  建具
２  建具本体
３  開口部
４  シート材
【図１】
2008144477.tif 000003
【図２】
2008144477.tif 000004
【図３】
2008144477.tif 000005
【図４】
2008144477.tif 000006